(57)【要約】      （修正有）【課題】顧客に対面することなく、届け先の郵便受けに配送可能なコンドーム配送用包装体を提供する。【解決手段】複数のコンドームＣをそれぞれ別個に密封収納する複数の小袋１と、複数の小袋を所定個数単位で収納する複数の中袋２と、複数の中袋が収納される大袋３と、を備え、大袋は、大袋の内部空間の幅サイズが各中袋の幅サイズの整数倍に設定され、複数の中袋が平面状に並んで重なり不能に収納される。【選択図】図１
0003226520.tif 000002
【実用新案登録請求の範囲】
【請求項１】
複数のコンドームをそれぞれ別個に密封収納する複数の小袋と、
前記複数の小袋を所定個数単位で収納する複数の中袋と、
前記複数の中袋が収納される大袋と、を備え、
前記大袋は、前記大袋の内部空間の幅サイズが各中袋の幅サイズの整数倍に設定され、前記複数の中袋が平面状に並んで重なり不能に収納されることを特徴とするコンドーム配送用包装体。
【請求項２】
前記大袋の前記内部空間に対して前記複数の中袋を位置決めする仮止め部材を備え、前記大袋の前記内部空間に前記仮止め部材が前記複数の中袋とともに収納されることを特徴とする請求項１記載のコンドーム配送用包装体。
【請求項３】
前記仮止め部材が折り畳み可能な箱であることを特徴とする請求項２記載のコンドーム配送用包装体。
【考案の詳細な説明】
【技術分野】
【０００１】
本考案は、多数のコンドームを収納して配送するために用いられるコンドーム配送用包装体に関する。
【背景技術】
【０００２】
従来より複数のコンドームを包装する場合は、扁平なリング状に巻き込まれたコンドームを、長尺な包装フィルムの間に挟み込んでヒートシールすることにより、密閉された袋状の包装体内に各コンドームが１個ずつ密閉状に収納される（例えば、特許文献１参照）。
複数のコンドームの包装体は、長手方向に等間隔でミシン目を介して複数個連続する帯状に連結され、適宜数の収納部を単位としてミシン目より切り離される。そして、切り離された包装体の収納部は、ジグザグ多段状に重なるようにミシン目から折り畳まれて包装箱に箱詰めされる。つまり、複数のコンドームは、包装体の連続帯状に連なる各収納部に収納されて、包装箱に箱詰めされた状態で販売される。
【先行技術文献】
【特許文献】
【０００３】
【特許文献１】特開２０１０−１６８０８２号公報
【考案の概要】
【考案が解決しようとする課題】
【０００４】
ところで、コンドームの購入は、店頭販売の場合に店員（販売者）と顧客（購入者）が対面するため、顧客が恥ずかしいと感じて躊躇し、容易ではなかった。
そこで、ウェブサイトを含むメディアの利用による通信販売でコンドームを購入する方法がある。
しかし、通信販売によるコンドームの購入であっても、商品の配送が宅配や郵送のように顧客の家で荷物の受け取り時に受領印や受領サインが必要な場合には、配送業者と顧客が対面するため、顧客が恥ずかしいと感じて躊躇することもあった。
このような状況下で、ウェブサイトを通信販売により購入したコンドームが顧客の郵便受けに直接投函される「ポスト投函」を利用可能なコンドーム配送用包装体が要望されている。
【課題を解決するための手段】
【０００５】
このような課題を解決するために本考案に係るコンドーム配送用包装体は、複数のコンドームをそれぞれ別個に密封収納する複数の小袋と、前記複数の小袋を所定個数単位で収納する複数の中袋と、前記複数の中袋が収納される大袋と、を備え、前記大袋は、前記大袋の内部空間の幅サイズが各中袋の幅サイズの整数倍に設定され、前記複数の中袋が平面状に並んで重なり不能に収納されることを特徴とする。
【図面の簡単な説明】
【０００６】
【図１】本考案の実施形態に係るコンドーム配送用包装体の全体構成を示す説明図であり、（ａ）が収納状態の大袋を示す一部切欠正面図、（ｂ）が大袋の開封状態を示す正面図である。
【図２】大袋から中袋と仮止め部材を取り出した状態を示す拡大正面図である。
【図３】大袋の収容物を示す説明図であり、（ａ）が中袋の一部切欠拡大正面図、（ｂ）が小袋の展開状態を示す一部切欠拡大正面図、（ｃ）が仮止め部材の表側を示す拡大正面図である。
【考案を実施するための形態】
【０００７】
以下、本考案の実施形態を図面に基づいて詳細に説明する。
本考案の実施形態に係るコンドーム配送用包装体Ａは、図１〜図３に示すように、多数のコンドームＣを収納して、宅配や郵送などにより配送するために用いられるパッケージである。
詳しく説明すると、本考案の実施形態に係るコンドーム配送用包装体Ａは、複数のコンドームＣをそれぞれ別個に密封収納するために設けられる複数の小袋１と、複数の小袋１を収納するために設けられる複数の中袋２と、複数の中袋２を収納するために設けられる大袋３と、を主要な構成要素として備えている。
さらに、大袋３に複数の中袋２とともに収納するために設けられる仮止め部材４を備えることが好ましい。
【０００８】
小袋１は、図３（ａ）（ｂ）に示すように、金属フィルムやこれに類似する材料からなる包装シート１ａで形成した袋体であり、複数のコンドームＣがそれぞれ別個に密封収納される複数の収納部１ｂを有する。
複数の収納部１ｂは、帯状（短冊状）の袋体を、その長手方向へ複数それぞれ所定間隔毎に分割することで連続状に形成される。複数の収納部１ｂは、所定個数単位で且つそれぞれ分離可能に連結することが好ましい。
小袋１の具体例として図３（ａ）（ｂ）に示される場合には、扁平なリング状に巻き込まれたコンドームＣを、包装シート１ａとして長尺なフィルムの間に挟み込み、その周囲がヒートシールなどで固着されている。これにより、複数の気密な収納部１ｂを等間隔毎に連設している。隣合う複数の収納部１ｂの間に形成される固着部には、ミシン目などの切断線１ｃを設けることで、複数の収納部１ｂが切断線１ｃを介して切り離し自在に連結されている。
このため、小袋１の収納部１ｂは、所定個数単位で切断線１ｃより折り曲げることにより、収納部１ｂ同士が重なり合うように折り畳み可能となる。
図示例では、複数の収納部１ｂが６個単位で連結され、長手方向中央の切断線１ｃから二段に折り畳んでいる。
また、その他の例として図示しないが、小袋１を図示例以外の切り離し可能な袋状に形成することや、コンドームＣの個数単位を変更することも可能である。
【０００９】
中袋２は、図１（ａ）（ｂ）〜図３（ａ）に示すように、樹脂フィルムやこれに類似する材料２ａからなる袋体であり、この袋体はマチ(厚み)が薄くなるように形成される。中袋２は、複数の小袋１を所定個数単位で収納するための収容空間２ｂを有する。
収容空間２ｂのサイズは、小袋１の幅サイズや、この幅方向と交差する方向の長さサイズよりも若干大きく形成される。
中袋２の具体例として図１（ａ）（ｂ）〜図３（ａ）に示される場合には、袋体がピロー包装で作成されたピロー袋であり、少なくとも内面側が熱可塑性フィルムからなる筒状体の両端部を熱シールすることにより、一対の熱接合部２ｃの間に収容空間２ｂが形成される。
図示例で収容空間２ｂは、コンドームＣが６個単位の二段に折り畳まれた小袋１を二組、合計１２個（１ダース）のコンドームＣを収容可能な容量に設定されている。
また、その他の例として図示しないが、中袋２をピロー袋以外の袋状に形成することや、小袋１の収納個数単位を変更することも可能である。
【００１０】
大袋３は、図１（ａ）（ｂ）〜図２に示すように、破れ難い紙又は樹脂フィルムやこれらに類似する材料からなる封筒であり、この封筒はマチ(厚み)が薄くなるように形成される。大袋３は、複数の中袋２を所定個数単位で並列状に収納するための内部空間３ａを有する。
内部空間３ａは、その幅サイズＷ３が各中袋２の幅サイズＷ２の整数倍に設定され、この幅方向と交差する長さサイズを、各中袋２の長さサイズと略同じ又は若干長く設定している。これにより、内部空間３ａに対して複数の中袋２が平面状に並んで重ならないように収納される。
大袋３の具体例として図１（ａ）（ｂ）〜図２に示される場合には、長尺側に封入口３ｂがある横型の洋型封筒であり、封入口３ｂにフラップ３ｃを折り畳み可能に連設している。
図示例で内部空間３ａは、複数の中袋２が４個、合計４８個（４ダース）のコンドームＣを収容可能な容量に設定されている。
また、その他の例として図示しないが、大袋３を洋型封筒以外の封筒に変更することや、大袋３の収納個数単位を変更することも可能である。
【００１１】
仮止め部材４は、大袋３の内部空間３ａに複数の中袋２と一緒に収納することで、内部空間３ａに対して複数の中袋２が位置ズレ不能に位置決めするための挿入物ある。
仮止め部材４の一例としては、台紙や粘着シートなどが挙げられる。
台紙には、折り畳み可能な箱４１、厚紙、薄板などが含まれ、中袋２の曲げ強さよりも硬いものが好ましい。内部空間３ａの内面と複数の中袋２との間に台紙を挟み込むことにより、複数の中袋２の位置ズレや変形が防止されて位置ズレ不能に保持される。
粘着シートには、両面の粘着テープなどが含まれ、内部空間３ａの内面と複数の中袋２との間に挟み込んで粘着することにより、複数の中袋２の位置ズレや変形が防止されて位置ズレ不能に保持される。
仮止め部材４の具体例として図１（ａ）（ｂ）〜図３（ｃ）に示される場合には、大袋３の側面３ｄと複数の中袋２との間に台紙として折り畳み可能な箱４１を挟み込むことにより、厚み方向へ膨出した両側面３ｄの張力で、複数の中袋２を厚み方向へ加圧している。図示例では、折り畳み可能な箱４１としてコンドーム保存用の空箱を用いている。
また、その他の例として図示しないが、仮止め部材４を折り畳み可能な箱４１に代えて、厚紙や薄板又は粘着シートを用いることや、台紙若しくは薄板と粘着シートを組み合わせて用いることも可能である。
【００１２】
このような本考案の実施形態に係るコンドーム配送用包装体Ａによると、大袋３の内部空間３ａに対し、複数の小袋１が折り曲げられて所定個数単位で収納される複数の中袋２を並列状で且つ重なり不能に収納することにより、大袋３の厚みが全体的に薄く保たれる。
このため、複数の中袋２を収納した大袋３が郵便ポストの投函口や郵便受けの投入口に対して直接投函可能になる。
したがって、届け先の郵便受けに配送可能なコンドーム配送用包装体Ａを提供することができる。
その結果、ウェブサイトを含む通信販売によるコンドームＣの購入であっても配送時に受領印や受領サインが必要な宅配や郵送に比べて、配達時に受領印や受領サインを必要としないため、顧客が配送業者と対面せずに受領可能な「ポスト投函」が実現できる。
これにより、コンドームＣの購入が恥ずかしいと感じる顧客に有効であるとともに、送料の低減化も図れる。
【００１３】
特に、大袋３の内部空間３ａに対して複数の中袋２を位置決めする仮止め部材４を備え、大袋３の内部空間３ａに仮止め部材４を複数の中袋２とともに収納することが好ましい。
この場合には、配送時の揺れや振動などが大袋３に伝わっても、大袋３の内部空間３ａに対して複数の中袋２が仮止め部材４で位置ズレや変形が不能に位置決めされる。
これにより、各中袋２の型崩れで、大袋３の厚みが部分的に厚くならず全体的に薄く保たれる。
したがって、大袋３内での中袋２の型崩れを防いで大袋３の厚みを全体的に薄く保つことができる。
【００１４】
さらに、仮止め部材４が折り畳み可能な箱４１であることが好ましい。
この場合には、大袋３の開封後に取り出した折り畳み可能な箱４１を組み立てることにより、コンドームＣが収納可能になる。
したがって、大袋３の開封後に折り畳み可能な箱４１をコンドームＣの保存用空箱として利用することができる。
その結果、大袋３から取り出した中袋２や、中袋２から取り出した複数の小袋１をそれぞれ小分けして折り畳み可能な箱（コンドームＣの保存用空箱）４１に収納すれば、コンドームＣの取り出しが容易になって利便性に優れる。
【００１５】
なお、前示の実施形態では、仮止め部材４として台紙や粘着シートを例示したが、これに限定されず、台紙や粘着シートと同様な作用効果が期待できれば、台紙や粘着シート以外であってもよい。
【符号の説明】
【００１６】
Ａ  コンドーム配送用包装体            Ｃ  コンドーム
１  小袋                              ２  中袋
３  大袋                              ３ａ  内部空間
４  仮止め部材                        ４１  折り畳み可能な箱
Ｗ２  中袋の幅サイズ                  Ｗ３  大袋の内部空間の幅サイズ
【図１】
0003226520.tif 000003
【図２】
0003226520.tif 000004
【図３】
0003226520.tif 000005